(57)【特許請求の範囲】
【請求項１】
それぞれアドレスを備え監視入力としてのオンオフ信号を受ける第１の端末器と負荷を制御する第２の端末器とが信号線に接続され、信号線に接続された伝送ユニットと前記各端末器との間で時分割多重伝送方式により伝送信号を授受し、第１の端末器のアドレスと第２の端末器のアドレスとの対応関係を用いて第１の端末器の受ける監視入力としてのオンオフ信号に応じて第２の端末器に接続した負荷を制御する遠隔監視制御システムに用いられ、制御対象となる負荷を制御する第２の端末器に対応付けた第１の端末器のアドレスと当該負荷の制御内容と制御時刻との組をタイムスケジュールとして格納するプログラム記憶部と、制御内容と制御時刻とをアドレス別に設定してプログラム記憶部にタイムスケジュールを設定する設定操作部と、現在時刻を計時する時計部と、プログラム記憶部に格納された各組のタイムスケジュールにおける制御時刻が時計部により計時されている現在時刻に一致すると当該タイムスケジュールにおけるアドレスをアドレスとし当該タイムスケジュールの制御内容を監視入力としてのオンオフ信号とする第１の端末器として機能する信号処理部とを備えることを特徴とするプログラムタイマ。
【請求項２】
前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、基本タイムスケジュールと特日タイムスケジュールとのどちらを用いるかを指示する無電圧の外部接点入力を接続可能な特日指定端子を備えることを特徴とする請求項１記載のプログラムタイマ。
【請求項３】
前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、基本タイムスケジュールと特日タイムスケジュールとのどちらを用いるかを指示するスケジュールモードフラグを有し、信号線を介して伝送される伝送信号のアドレスがスケジュールモードフラグに対応付けたアドレスに一致すると伝送信号の制御内容に応じてスケジュールモードフラグを切り換えることを特徴とする請求項１記載のプログラムタイマ。
【請求項４】
前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、前記時計部で計時する現在時刻が特定時刻になる前にスケジュールモードフラグが特日タイムスケジュールを指示する設定であると、前記特定時刻において前記スケジュールモードフラグを基本タイムスケジュールを指示する設定に自動的に切り換えることを特徴とする請求項１記載のプログラムタイマ。
【請求項５】
前記タイムスケジュールによる負荷制御と前記タイムスケジュールによる負荷制御の中止との選択を指示する無電圧の外部接点入力を接続可能なタイマ制御中止端子を備えることを特徴とする請求項１記載のプログラムタイマ。
【請求項６】
前記信号処理部では、前記タイムスケジュールによる負荷制御と前記タイムスケジュールによる負荷制御の中止との選択を指示する制御モードフラグを有し、信号線を介して伝送される伝送信号のアドレスが制御モードフラグに対応付けたアドレスに一致すると伝送信号の制御内容に応じて制御モードフラグを切り換えることを特徴とする請求項１記載のプログラムタイマ。
【請求項７】
前記信号処理部では、前記タイムスケジュールによる負荷制御と前記タイムスケジュールによる負荷制御の中止との選択を指示する制御モードフラグを有し、前記時計部で計時する現在時刻が特定時刻になる前に制御モードフラグがタイムスケジュールによる負荷制御の中止を指示する設定であると、前記特定時刻において前記制御モードフラグをタイムスケジュールによる負荷制御を指示する設定に自動的に切り換えることを特徴とする請求項１記載のプログラムタイマ。
【請求項８】
前記信号処理部では、信号線を介して伝送される伝送信号のアドレスが同期アドレスとして設定したアドレスに一致すると前記時計部に対して現在時刻を規定時刻に合わせるように指示することを特徴とする請求項１記載のプログラムタイマ。
【請求項９】
監視入力としてのオンオフ信号を受ける前記第１の端末器に対応付けた１つの時間帯別操作アドレスと、制御対象となる負荷を制御する前記第２の端末器に対応付けた少なくとも１つの時間帯別制御アドレスと、時間帯別制御アドレスを用いる時間帯との組を時間帯制御データとして格納する時間帯別プログラム記憶部を有し、前記信号処理部は、信号線を介して伝送される伝送信号のアドレスが時間帯別操作アドレスに一致すると、時計部により計時されている現在時刻が属している時間帯において当該時間帯別操作アドレスと組になる時間帯別制御アドレスをアドレスとし前記監視入力としてのオンオフ信号により指示された制御内容を監視入力としてのオンオフ信号とする第１の端末器として機能し、時間帯別操作アドレスと時間帯別制御アドレスとのいずれか一方が未設定であると第１の端末器として機能しないことを特徴とする請求項１記載のプログラムタイマ。
【請求項１０】
前記設定操作部は、負荷を繰り返して同じ制御状態にする回数と時間間隔とをタイムスケジュールとして設定する機能を有することを特徴とする請求項１記載のプログラムタイマ。
【請求項１１】
前記時計部により計時される現在時刻を一定時間だけ早める状態と元に戻す状態との選択を指示する無電圧の外部接点入力を接続可能なサマータイム端子を備えることを特徴とする請求項１記載のプログラムタイマ。
【請求項１２】
前記時計部により計時される現在時刻を一定時間だけ早める状態と元に戻す状態との選択を指示するサマータイムフラグを有し、前記信号処理部では信号線を介して伝送される伝送信号のアドレスがサマータイムフラグに対応付けたサマータイムアドレスに一致すると伝送信号の制御内容に応じてサマータイムフラグを切り換えることを特徴とする請求項１記載のプログラムタイマ。
【発明の詳細な説明】
【０００１】
【発明の属する技術分野】
本発明は、タイムスケジュールに従って負荷を制御するプログラムタイマに関するものである。
【０００２】
【従来の技術】
一般に、タイムスケジュールを記憶するとともに、内蔵した時計部により計時されている現在時刻がタイムスケジュールとして設定された時刻に一致したときに負荷を制御するようにしたプログラムタイマが提供されている（特開平２−１４４６０４号公報）。この種のプログラムタイマは、タイムスケジュールに従って出力接点をオンオフさせるように構成され、出力接点数に応じた回路数の負荷の制御が可能になっている。
【０００３】
上記公報においては、時分割多重伝送方式を採用することによって２線式の信号線で端末器間を接続する遠隔監視制御システム（発明の実施の形態において説明する）においてプログラムタイマを用いる技術が開示されており、プログラムタイマに設けた８回路分の出力接点を端末器の監視入力として用いている。したがって、プログラムタイマの出力接点はスイッチと等価に扱われ、プログラムタイマのタイムスケジュールに従って負荷を制御することが可能になる。
【０００４】
すなわち、図２５に示すように、遠隔監視制御システムにおける信号線Ｌｓに接続される端末器３２に監視入力としてプログラムタイマ１を接続している。図では端末器３２の電源が、商用電源ＡＣをトランス３４で降圧することにより得られている。
【０００５】
【発明が解決しようとする課題】
ところで、上述したように、遠隔監視制御システムにおいてプログラムタイマ１のタイムスケジュールに従って負荷を制御する場合には、出力接点の回路数分の監視入力を受ける端末器３２が別に必要であり、しかもプログラムタイマ１と端末器３２との間で回路数分の結線が必要であるから施工作業が面倒である。また、プログラムタイマ１によって制御可能な負荷の回路数は出力接点の回路数によって制限されるから、制御対象となる負荷の回路数を増加させることはできず、また逆に制御対象となる負荷の回路数が出力接点の回路数よりも少ない場合には出力接点が無駄になる。
【０００６】
また、上記公報に記載されたプログラムタイマ１は、遠隔監視制御システムに対しては監視入力を与えるだけであり、遠隔監視制御システムからの指示を受けることができないから、プログラムタイマ１に設けた操作部を操作しなければプログラムタイマ１に指示を与えることはできない。たとえば、休日用のタイムスケジュールを選択しようとすれば、プログラムタイマ１を操作しなければならず、遠隔監視制御システムからの休日用のタイムスケジュールを選択する指示を与えることはできない。さらに、プログラムタイマ１による制御を一時的に停止したり、プログラムタイマ１による制御をタイムスケジュール以外の制御にする場合にもプログラムタイマ１を操作しなければならない。しかも、プログラムタイマ１は盤内に設置されていることが多いから、盤の設置場所に行き、盤を開かなければプログラムタイマ１を操作することができず、プログラムタイマ１の操作に手間がかかるものである。
【０００７】
本発明は上記事由に鑑みて為されたものであり、その主な目的は、遠隔監視制御システムとの接続に別途の端末器を必要とせず、かつ負荷の回路数を任意に設定可能であるプログラムタイマを提供することにあり、他の目的は、遠隔監視制御システムとの連携によって伝送信号による各種の指示が可能になっているプログラムタイマを提供することにある。
【０００８】
【課題を解決するための手段】
請求項１の発明は、それぞれアドレスを備え監視入力としてのオンオフ信号を受ける第１の端末器と負荷を制御する第２の端末器とが信号線に接続され、信号線に接続された伝送ユニットと前記各端末器との間で時分割多重伝送方式により伝送信号を授受し、第１の端末器のアドレスと第２の端末器のアドレスとの対応関係を用いて第１の端末器の受ける監視入力としてのオンオフ信号に応じて第２の端末器に接続した負荷を制御する遠隔監視制御システムに用いられ、制御対象となる負荷を制御する第２の端末器に対応付けた第１の端末器のアドレスと当該負荷の制御内容と制御時刻との組をタイムスケジュールとして格納するプログラム記憶部と、制御内容と制御時刻とをアドレス別に設定してプログラム記憶部にタイムスケジュールを設定する設定操作部と、現在時刻を計時する時計部と、プログラム記憶部に格納された各組のタイムスケジュールにおける制御時刻が時計部により計時されている現在時刻に一致すると当該タイムスケジュールにおけるアドレスをアドレスとし当該タイムスケジュールの制御内容を監視入力としてのオンオフ信号とする第１の端末器として機能する信号処理部とを備えるものである。
【０００９】
請求項２の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、基本タイムスケジュールと特日タイムスケジュールとのどちらを用いるかを指示する無電圧の外部接点入力を接続可能な特日指定端子を備えるものである。
【００１０】
請求項３の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、基本タイムスケジュールと特日タイムスケジュールとのどちらを用いるかを指示するスケジュールモードフラグを有し、信号線を介して伝送される伝送信号のアドレスがスケジュールモードフラグに対応付けたアドレスに一致すると伝送信号の制御内容に応じてスケジュールモードフラグを切り換えるものである。
【００１１】
請求項４の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、基本タイムスケジュールと特日タイムスケジュールとのどちらを用いるかを指示するスケジュールモードフラグを有し、前記時計部で計時する現在時刻が特定時刻になる前にスケジュールモードフラグが特日タイムスケジュールを指示する設定であると、前記特定時刻において前記スケジュールモードフラグを基本タイムスケジュールを指示する設定に自動的に切り換えるものである。
【００１２】
請求項５の発明は、請求項１の発明において、前記タイムスケジュールによる負荷制御と前記タイムスケジュールによる負荷制御の中止との選択を指示する無電圧の外部接点入力を接続可能なタイマ制御中止端子を備えるものである。
【００１３】
請求項６の発明は、請求項１の発明において、前記信号処理部では、前記タイムスケジュールによる負荷制御と前記タイムスケジュールによる負荷制御の中止との選択を指示する制御モードフラグを有し、信号線を介して伝送される伝送信号のアドレスが制御モードフラグに対応付けたアドレスに一致すると伝送信号の制御内容に応じて制御モードフラグを切り換えるものである。
【００１４】
請求項７の発明は、請求項１の発明において、前記信号処理部では、前記タイムスケジュールによる負荷制御と前記タイムスケジュールによる負荷制御の中止との選択を指示する制御モードフラグを有し、前記時計部で計時する現在時刻が特定時刻になる前に制御モードフラグがタイムスケジュールによる負荷制御の中止を指示する設定であると、前記特定時刻において前記制御モードフラグをタイムスケジュールによる負荷制御を指示する設定に自動的に切り換えるものである。
【００１５】
請求項８の発明は、請求項１の発明において、前記信号処理部では、信号線を介して伝送される伝送信号のアドレスが同期アドレスとして設定したアドレスに一致すると前記時計部に対して現在時刻を規定時刻に合わせるように指示するものである。
【００１６】
請求項９の発明は、請求項１の発明において、監視入力としてのオンオフ信号を受ける前記第１の端末器に対応付けた１つの時間帯別操作アドレスと、制御対象となる負荷を制御する前記第２の端末器に対応付けた少なくとも１つの時間帯別制御アドレスと、時間帯別制御アドレスを用いる時間帯との組を時間帯制御データとして格納する時間帯別プログラム記憶部を有し、前記信号処理部は、信号線を介して伝送される伝送信号のアドレスが時間帯別操作アドレスに一致すると、時計部により計時されている現在時刻が属している時間帯において当該時間帯別操作アドレスと組になる時間帯別制御アドレスをアドレスとし前記監視入力としてのオンオフ信号により指示された制御内容を監視入力としてのオンオフ信号とする第１の端末器として機能し、時間帯別操作アドレスと時間帯別制御アドレスとのいずれか一方が未設定であると第１の端末器として機能しないものである。
【００１７】
請求項１０の発明は、請求項１の発明において、前記設定操作部は、負荷を繰り返して同じ制御状態にする回数と時間間隔とをタイムスケジュールとして設定する機能を有するものである。
【００１８】
請求項１１の発明は、請求項１の発明において、前記時計部により計時される現在時刻を一定時間だけ早める状態と元に戻す状態との選択を指示する無電圧の外部接点入力を接続可能なサマータイム端子を備えるものである。
【００１９】
請求項１２の発明は、請求項１の発明において、前記時計部により計時される現在時刻を一定時間だけ早める状態と元に戻す状態との選択を指示するサマータイムフラグを有し、前記信号処理部では信号線を介して伝送される伝送信号のアドレスがサマータイムフラグに対応付けたサマータイムアドレスに一致すると伝送信号の制御内容に応じてサマータイムフラグを切り換えるものである。
【００２０】
【発明の実施の形態】
以下に説明する本実施形態のプログラマブルタイマは、オフィスや学校のように１年間の行事日程がほぼ定まっている場所での使用に適したものであって、１年間のタイムスケジュールを設定することができるものを想定している。ただし、１日あるいは１週間のタイムスケジュールを設定するプログラムタイマであっても本発明の技術思想の適用を妨げない。
【００２１】
本実施形態におけるプログラムタイマ１は、図２に示すように、遠隔監視制御システムにおける信号線Ｌｓに接続して使用される。したがって、まず遠隔監視制御システムの基本的な構成について説明する。この遠隔監視制御システムは、伝送ユニット３０に接続された２線式の信号線Ｌｓに複数台の端末器３１〜３３を接続（マルチドロップ接続）して構成される。第１の端末器となる端末器３１，３２は監視入力を受けたときに伝送ユニット３０に通知する機能を有し、端末器３１は押釦式のスイッチ３１ａを備えておりスイッチ３１ａの押操作に応じて監視入力を受け付けるように構成され、端末器３２は端子台３２ａを備え端子台３２ａに接続される外部からの接点入力（接点のオンオフ）を監視入力として受け付けるように構成されている。したがって、端末器３２は周囲の明るさに応じて出力をオンまたはオフにする明るさセンサのようなセンサ出力を監視入力とすることができる。また、第２の端末器となる端末器３３は制御用であってリレーを内蔵し、リレー接点の開閉に伴って負荷（図示せず）を制御する。これらの端末器３１〜３３にはそれぞれアドレスが設定され、伝送ユニット３０はアドレスを用いて端末器３１〜３３を各別に認識する。リレーには一般にラッチング型のものが用いられ、端末器３３がリレーを動作させる際にはリレーにパルス的に電源を供給する。端末器３３は外部に設けたリモコンリレーを制御する形式のものもある。
【００２２】
伝送ユニット３０は信号線Ｌｓに対して、図３（ａ）に示すフォーマットの伝送信号Ｖｓを送出する。すなわち、信号送出開始を示す同期信号ＳＹ、伝送信号Ｖｓのモードを示すモードデータＭＤ、端末器３１〜３３を各別に呼び出すためのアドレスデータＡＤ、照明負荷Ｌを制御する制御データＣＤ、伝送誤りを検出するためのチェックサムデータＣＳ、端末器３１〜３３からの返送信号（監視データ）を受信するタイムスロットである信号返送期間ＷＴよりなる双極性（±２４Ｖ）の時分割多重信号であり、パルス幅変調によってデータが伝送されるようになっている（図３（ｂ））。各端末器３１〜３３では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【００２３】
伝送ユニット３０から所望の端末器３１〜３３にデータを伝送する場合には、モードデータＭＤを制御モードとし、端末器３１〜３３のアドレスをアドレスデータＡＤとする伝送信号Ｖｓを送出し、この伝送信号Ｖｓを信号線Ｌｓに送出すれば、アドレスデータＡＤに一致する端末器３１〜３３が制御データＣＤを受け取り、信号返送期間ＷＴに監視データを返送する。伝送ユニット３０では送出した制御データＣＤと信号返送期間ＷＴに受信した監視データとの関係によって制御データＣＤが所望の端末器３１〜３３に伝送されたことを確認する。端末器３３は受け取った制御データＣＤに従って負荷を制御するための負荷制御信号を発生させ、端末器３１では受け取った制御データＣＤに従って負荷の動作確認表示を行なうための監視信号を発生させる。
【００２４】
一方、伝送ユニット３０は通常時にはモードデータＭＤをダミーモードとした伝送信号Ｖｓを一定時間間隔で送出している（常時ポーリング）。端末器３１，３２において監視入力が発生すると、端末器３１，３２は伝送ユニット３０に対して監視入力の発生を伝送しようとする。すなわち、端末器３１，３２はダミーモードの伝送信号Ｖｓの同期信号ＳＹに同期させて図３（ｃ）のような割込信号を発生させ、同時に割込フラグを設定して伝送ユニット３０との以後の情報授受に備える。伝送ユニット３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した端末器３１，３２では、割込ポーリングモードの伝送信号のアドレスデータＡＤの上位４ビットが端末器３１，３２に設定されているアドレスの上位４ビットに一致するときに、信号返送期間ＷＴにアドレスの下位の半数のビットを伝送ユニット３０に返送する。このように、伝送ユニット３０は割込信号を発生した端末器３１，３２を１６個ずつまとめて探すので、比較的短い時間で端末器３１，３２を発見することができる。
【００２５】
伝送ユニット３０が割込信号を発生した端末器３１，３２のアドレスを獲得すると、モードデータＭＤを監視モードとし、獲得したアドレスデータＡＤを持つ伝送信号を信号線Ｌｓに送出するのであって、この伝送信号に対して端末器３１，３２は伝送しようとする情報を信号返送期間ＷＴに返送する。最後に、伝送ユニット３０は割込信号を発生した端末器３１，３２に対して割込リセットを指示する信号を送出し、端末器３１，３２の割込フラグを解除する。以上のようにして、端末器３１，３２から伝送ユニット３０への情報伝送は、伝送ユニット３０から端末器３１，３２への４回の信号伝送（ダミーモード、割込ポーリングモード、監視モード、割込リセット）によって完了する。伝送ユニット３０が負荷を接続した端末器３３の動作状態を知ろうとするときには、モードデータＭＤを監視データとした伝送信号を送出すればよい。
【００２６】
１台の端末器３１〜３３は最大４回路の負荷制御が可能となるように、回路別を示す２ビットの負荷番号がアドレスデータＡＤに付加されている。以下では、上述した端末器３１〜３３のアドレスをチャンネルと呼び、チャンネルと負荷番号とをまとめてアドレスと呼ぶことにする。つまり、各監視入力と各負荷とにそれぞれ個別のアドレスが付与されていることになる。また、互いに一対一に対応する監視入力と負荷とは同チャンネルに設定することにより対応関係をわかりやすくしてある（実際にはチャンネルに合わせて操作側か制御側かの区別もしてある。たとえば、アドレスデータのうちの上位数ビットで操作側か制御側かの別を表し、下位数ビットをチャンネルとして用いる）。
【００２７】
ところで、この種の遠隔監視制御システムでは、監視入力と負荷とのアドレスの対応関係を伝送ユニット３０で管理しているから、伝送ユニット３０において１回路の監視入力のアドレスに複数回路の負荷のアドレスを関係データとして対応付けておけば、１回路の監視入力で複数回路の負荷を一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。グループ制御やパターン制御は、照明負荷を制御するときにとくに有効であって、オフィス空間のように多数の照明負荷が配列されているような場所で、複数の照明負荷を一斉に点灯・消灯させる際にグループ制御やパターン制御を利用することができる。なお、一括制御に対して１回路の監視入力に１回路の負荷を一対一に対応付ける場合を個別制御という。また、個別制御のアドレスはチャンネルと負荷番号との組み合わせによって、チャンネル−負荷番号という形式で表され（たとえば、２−０）、パターン制御のアドレスはＰ番号（たとえば、Ｐ１）、グループ制御のアドレスはＧ番号（たとえば、Ｇ３）という形式で表される。個別制御においては監視入力と負荷とを同じアドレス（チャンネル−負荷番号）に設定することで、監視入力と負荷とが一対一に対応するようにしてある。
【００２８】
ところで、本発明のプログラムタイマ１は、図１に示す構成を有し、上記信号線Ｌｓに接続されて遠隔監視制御システムの端末器として機能する伝送処理部１１を備える。伝送処理部１１は、伝送処理部１１とともに信号処理部を構成するタイマ処理部１０で生成された監視入力を受けたときには端末器３２と同様に割込信号Ｖｉを発生し、信号線Ｌｓを通して伝送される伝送信号Ｖｓを受けると伝送信号Ｖｓの制御データＣＤによる各種指示をタイマ処理部１０に与える。タイマ処理部１０の基本的な動作は一般的なプログラムタイマと同様であって、制御対象となる負荷とその負荷の制御内容と制御時刻との組をタイムスケジュールとしてプログラム記憶部１２に格納しておき、タイマ処理部１０に設けられている時計部１０ａにより計時される現在時刻（本実施形態では年月日および時分秒を計時する）がタイムスケジュールの制御時刻に一致したときに、当該タイムスケジュールにより指定されている負荷を制御内容に従って制御するのである。ただし、従来のプログラマブルタイマでは、制御対象となる負荷を出力端子によって指定するのに対して、本実施形態では制御対象となる負荷はタイムスケジュールにおいてアドレスによって指定してあり、タイマ処理部１０では、そのアドレスを制御内容とともに伝送処理部１１に与える。伝送処理部１１はタイマ処理部１０から受け取ったアドレスを用いて伝送信号を授受する。つまり、タイマ処理部１０から受け取ったアドレスを伝送用のアドレスに用い、制御内容を監視入力として端末器３２と同様に動作するのである。ここに、監視入力（端末器３１，３２）と負荷（端末器３３）との対応関係が伝送ユニット３０においてあらかじめ設定されているとすれば、タイムスケジュールとして監視入力のアドレスに相当するアドレスを設定することで、その監視入力に対応する負荷の制御を制御対象とすることができる。したがって、上述した個別制御のほかにグループ制御やパターン制御も可能である。つまり、制御時刻において複数の負荷を一括して制御することが可能である。
【００２９】
タイムスケジュールの設定には、設定操作部としてのスイッチ群１３および表示部１４が用いられる。スイッチ群１３は押操作される複数個のスイッチからなり、スイッチ入力部１５を介してスイッチ群１３の操作内容がタイマ処理部１０に入力される。また、表示部１４は液晶表示器を備え、設定中のタイムスケジュール、プログラム記憶部１２に格納されたタイムスケジュール、現在時刻、タイマ処理部１０の動作モードなどが表示部１４に表示可能になっている。しかして、スイッチ群１３および表示部１４を用いることによって、各アドレス別に制御内容と制御時刻との組をタイムスケジュールとして設定することができるようにしてある。つまり、制御対象となる負荷に対応する監視入力のアドレス（負荷のアドレスと同じ）に、制御時刻および制御内容を対応付ければよい。
【００３０】
タイムスケジュールは基本的には日単位で設定され、タイムスケジュールにおける制御時刻は曜日と時分との組み合わせを基本としている。また、日毎に繰り返し利用されるタイムスケジュール（基本タイムスケジュールという）のほかに、休日や行事開催などに対応する一時的なタイムスケジュール（特日タイムスケジュールという）も設定可能になっている。
【００３１】
基本タイムスケジュールを用いるか特日タイムスケジュールを用いるかは以下のようにして選択する。すなわち、タイマ処理部１０には特日指定端子１６が付設されており、特日指定端子１６には無電圧の外部接点入力が接続可能になっている。無電圧の外部接点入力としては図４に示すように通常はスイッチＳＷ１を用いる。特日指定端子１６は、接続されたスイッチ（外部接点入力）ＳＷ１がオンであって短絡されているときには特日タイムスケジュールを用い、スイッチＳＷ１がオフであって特日指定端子１６が開放されているときには基本タイムスケジュールを用いる。
【００３２】
また、タイマ処理部１０にはアドレスメモリ２１が付設されており、アドレスメモリ２１には特日指定端子１６と同様の機能を有するスケジュールモードフラグが設けられている。タイマ処理部１０ではスケジュールモードフラグがセットされていると特日タイムスケジュールを用い、スケジュールモードフラグがリセットされていると基本タイムスケジュールを用いる。スケジュールモードフラグには特定のアドレス（特日指定アドレス）が対応付けられており、伝送処理部１１では信号線Ｌｓを伝送される伝送信号におけるアドレスデータＡＤが特日指定アドレスに一致すると、伝送信号の制御データＣＤに応じてスケジュールモードフラグをセットまたはリセットするようになっている。要するに、スケジュールモードフラグを負荷としてスイッチ３１ａを設けた端末器３１に対応付けることで、当該スイッチ３１ａの操作により、スケジュールモードフラグのセットとリセットとの指示が可能になっている。言い換えると、プログラムタイマ１のスイッチ群１３を操作することなく、遠方に設けたスイッチ３１ａの操作によって基本タイムスケジュールと特日タイムスケジュールとのどちらを用いるかを選択することができる。ただし、端末器３１においては基本タイムスケジュールと特日タイムスケジュールとのどちらが選択されているかを表示する。この表示は特日指定アドレスを含む伝送信号を伝送処理部１１が受け取ったときに、その伝送信号の信号返送期間ＷＴに伝送処理部１１から情報を返送することによって行う。本実施形態では、スケジュールモードフラグを２組設けてあり、それぞれ異なる特日アドレスを対応付けてある。したがって、特日タイムスケジュールを２種類選択することが可能になっている。
【００３３】
上述したように特日タイムスケジュールは通常は一時的に用いるものであるから、特日タイムスケジュールを用いた翌日は基本タイムスケジュールに戻すことが多い。しかしながら、特日タイムスケジュールから基本タイムスケジュールに切り換える操作は忘れることも多いから、このような切換が自動化できると利便性が高くなる。そこで、タイマ処理部１０には時計部１０ａで計時している現在時刻の曜日が変わる（つまり、特定時刻を午前０時に設定している）前にスケジュールモードフラグがセットされていて特日タイムスケジュールを指示しているときには、曜日が変わる時点でスケジュールモードフラグをリセットして基本タイムスケジュールを用いる状態に戻すようにフラグリセット部１０ｂを設けてある。このようなフラグリセット部１０ｂを用いることで、特日タイムスケジュールが連日用いられてしまうのを防止することができる。なお、フラグリセット部１０ｂにおいてスケジュールモードフラグをリセットする時刻は、必ずしも曜日が変わる時点でなくてもよく、一般的な使用では翌日に人が負荷を使用するようになるまでであればよい。
【００３４】
ところで、タイムスケジュールによる負荷制御を一時的に中止したい場合もある。タイムスケジュールによる負荷制御を行うかタイムスケジュールによる負荷制御を中止するかは以下のようにして選択する。すなわち、タイマ処理部１０にはタイマ制御中止端子１７が付設されており、タイマ制御中止端子１７には無電圧の外部接点入力が接続可能になっている。無電圧の外部接点入力としては図４に示すように通常はスイッチＳＷ２を用いる。タイマ制御中止端子１７は、接続されたスイッチ（外部接点入力）ＳＷ２がオンであって短絡されているときにはタイムスケジュールによる負荷制御を行わず、スイッチＳＷ２がオフであってタイマ制御中止端子１７が開放されているときにはタイムスケジュールを用いて負荷を制御する。
【００３５】
タイマ処理部１０に付設されたアドレスメモリ２１にはタイマ制御中止端子１７と同様の機能を有する制御モードフラグが設けられている。タイマ処理部１０では制御モードフラグがセットされているとタイムスケジュールによる負荷制御を行わず、制御モードフラグがリセットされているとタイムスケジュールによる負荷制御を行う。制御モードフラグには特定のアドレス（タイマ制御中止アドレス）が対応付けられており、伝送処理部１１では信号線Ｌｓを伝送される伝送信号におけるアドレスデータＡＤがタイマ制御中止アドレスに一致すると、伝送信号の制御データＣＤに応じて制御モードフラグをセットまたはリセットする。つまり、制御モードフラグを負荷としてスイッチ３１ａを設けた端末器３１に対応付けることで、当該スイッチ３１ａの操作により、制御モードフラグのセットとリセットとの指示が可能になっている。
【００３６】
この構成によって、プログラムタイマ１のスイッチ群１３を操作することなく、遠方に設けたスイッチ３１ａの操作によってタイムスケジュールによる負荷制御を行うかタイムスケジュールによる負荷制御を中止するかを選択することができる。ただし、端末器３１においてはタイムスケジュールによって負荷制御を行っているかタイムスケジュールによる負荷制御が中止されているかを表示する。この表示はタイマ制御中止アドレスを含む伝送信号を伝送処理部１１が受け取ったときに、その伝送信号の信号返送期間ＷＴに伝送処理部１１から情報を返送することによって行う。
【００３７】
さらに、タイムスケジュールによる負荷制御の中止は通常は一時的に行うから、タイムスケジュールによる負荷制御を中止しても翌日にはタイムスケジュールによる負荷制御を行う状態に戻すことが多い。そこで、負荷制御の中止状態を自動的に解除可能にしてある。つまり、タイマ処理部１０に設けたフラグリセット部１０ｂでは、時計部１０ａで計時している現在時刻の曜日が変わる（つまり、特定時刻を午前０時に設定してある）前に制御モードフラグがセットされていてタイムスケジュールによる負荷制御の中止が指示されているときには、曜日が変わる時点で制御モードフラグをリセットしてタイムスケジュールによる負荷制御を行う状態に戻す処理を行う。タイムスケジュールによる負荷制御が連日中止されて故障と誤認されるのを防止することができる。なお、フラグリセット部１０ｂにおいて制御モードフラグをリセットする時刻は、必ずしも曜日が変わる時点でなくてもよく、一般的な使用では翌日に人が負荷を使用するようになるまでの間であればよい。また、フラグリセット部１０ｂによって制御モードフラグをリセットする時刻と、スケジュールモードフラグをリセットする時刻とは異なっていてもよい。
【００３８】
ところで、時計部１０ａで計時されている現在時刻を一定時間（通常は１時間）だけ早める、いわゆるサマータイムを利用したい場合に備えて、本実施形態のプログラムタイマ１にはサマータイムを選択する機能を設けてある。サマータイムとするか通常の時刻とするかは以下のようにして選択される。すなわち、タイマ処理部１０にはサマータイム端子２５が付設されており、サマータイム端子２５には無電圧の外部接点入力が接続可能になっている。無電圧の外部接点入力としては図４に示すように通常はスイッチＳＷ３を用いる。サマータイム端子２５は、接続されたスイッチ（外部接点入力）ＳＷ３がオンであって短絡されているときには時計部１０ａの現在時刻を１時間早め、スイッチＳＷ３がオフであってサマータイマ端子１８が開放されているときには時計部１０ａの時刻を元の時刻とする。
【００３９】
アドレスメモリ２１にはサマータイム端子２５と同様の機能を有するサマータイムフラグが設けられている。タイマ処理部１０ではサマータイムフラグがセットされていると時計部１０ａの現在時刻を１時間早め、サマータイムフラグがリセットされていると時計部１０ａの現在時刻を通常の時刻とする。サマータイムフラグにも特定のアドレス（サマータイムアドレス）が対応付けられており、伝送処理部１１では信号線Ｌｓを伝送される伝送信号におけるアドレスデータＡＤがサマータイムアドレスに一致すると、伝送信号の制御データＣＤに応じてサマータイムフラグをセットまたはリセットする。つまり、サマータイムフラグを負荷としてスイッチ３１ａを設けた端末器３１に対応付けることで、当該スイッチ３１ａの操作により、サマータイムフラグのセットとリセットとの指示が可能になる。その結果、プログラムタイマ１のスイッチ群１３を操作することなく、遠方に設けたスイッチ３１ａの操作によって時計部１０ａの現在時刻をサマータイムとするか通常の時刻とするかを選択することができる。この場合も、端末器３１においてはサマータイムか否かを表示する。この表示はサマータイムアドレスを含む伝送信号を伝送処理部１１が受け取ったときに、その伝送信号の信号返送期間ＷＴに伝送処理部１１から情報を返送することによって行う。
【００４０】
ところで、負荷を繰り返して同じ制御状態にしたい場合がある。たとえば、一定時間ごとに照明負荷を全部消灯させるという制御状態を一定時間間隔で繰り返し、照明負荷を一旦消灯させた後に人が照明負荷を付けた場合でも、前回の消灯から一定時間後に再び全部消灯させるようにし、このような動作を複数回繰り返すのである。この制御を行えば、使用者に対しては照明負荷の設置場所からの退去を促す（たとえば職場においては帰宅を促す）効果があり、しかも、照明負荷は一定時間ごとに全部消灯するから消し忘れを防止することができる。この種の制御を行う場合に、本実施形態では、制御の入時刻と切時刻と制御を行う時間間隔（制御間隔）とを設定する。つまり、入時刻と切時刻と制御の時間間隔とを設定することは、制御を行う回数と時間間隔とを設定することと等価になる。たとえば、１７：００〜２０：００において３０分ごとに負荷をオフにするようにタイムスケジュールを設定すれば、１７：００、１７：３０、１８：００、……、１９：３０、２０：００において負荷をオフにする制御を繰り返し、この制御を７回繰り返すことになる。この種の制御の内容は、スイッチ群１３と表示部１４とからなる設定操作部で設定される。
【００４１】
なお後述するように、入時刻と切時刻と時間間隔とを設定するのはパターン制御の場合であり、個別制御およびグループ制御の場合には、入時刻と切時刻とのほかに負荷をオンにする時間とオフにする時間とを設定する。つまり、負荷の１回のオンオフの周期を規定し、この動作を入時刻と切時刻との間で繰り返すのである。
【００４２】
さらに、本実施形態では、時計部１０ａの時刻合わせを外部信号によって行うことが可能になっている。すなわち、タイマ処理部１０には同期入力端子１８および同期出力端子１９が付設され、同期入力端子１８には無電圧の外部接点入力として図４のように外部に設けた時計の接点ＳＷ４などが接続可能になっている。また、同期出力端子１９は無電圧の接点出力を発生する。時計部１０ａは同期入力端子１８に接続された外部接点入力がオンになると、時計部１０ａの時刻が規定時刻である１２時または２４時に時刻合わせされる。ただし、時計部１０ａで計時している時刻が１２時または２４時に対して±５分の範囲内であるときにオンになった外部接点入力のみを有効として扱い、この範囲外で外部接点入力がオンになっても無視するようにしてある。このように外部接点入力を受け付ける時間範囲を制限していることによって、通常の動作では時計部１０ａで計時している時刻が実際の時刻に対して５分以上ずれるのを防止することができる。また、同期出力端子１９は同期入力端子１８への外部接点入力がオンになると出力をオンにするから、同期出力端子１９の出力を外部接点入力として他のプログラムタイマ１の時計部１０ａの時刻合わせが可能になる。
【００４３】
上述したアドレスメモリ２１には同期アドレスも設定されており、伝送処理部１１では信号線Ｌｓを伝送される伝送信号におけるアドレスデータＡＤが同期アドレスに一致すると、同期入力端子１８に入力される外部接点入力がオンになったときと同様に、時計部１０ａに対して１２時または２４時に時刻合わをするように指示を行う。つまり、スイッチＳＷ４を用いずに伝送信号を用いても時刻合わせが可能であり、図２のように信号線Ｌｓに接続されている端末器３２に設備時計３５を接続して、この端末器３２を同期アドレスに対応付けておき、設備時計３５では１２時または２４時になると端末器３２に監視入力を与えるようにしておけば、設備時計３５において１２時または２４時になるたびに、同期アドレスに一致する伝送信号を受け取って時刻合わせが自動的に行われることになる。上述した同期アドレスは同期入力端子１８の機能に相当するものであり、同期アドレスに一致するアドレスを有する伝送信号を受けると時刻合わせを行うものであるが、同期出力端子１９に相当する同期アドレスも併せて設けてもよい。この同期アドレスは時刻合わせがなされたことを伝送信号Ｖｓによって伝送するために用いられる。したがって、信号線Ｌｓに別のプログラムタイマ１が接続されているときには、そのプログラムタイマ１の同期アドレスに対応付けておくことによって、そのプログラムタイマ１の時計部１０ａの時刻合わせを行うことができる。なお、時刻合わせを１２時と２４時との２つの時刻で行っているが、いずれか一方のみでもよく、また他の規定時刻において時刻合わせを行ってもよい。さらに、同期入力端子１８への外部接点入力あるいは同期アドレスを受け取る時間範囲を±５分としているが、この時間範囲は適宜に変えてよい。上述の方法で時刻合わせを行う場合に若干の時間遅れが生じるが、本実施形態では制御時刻が１分程度の精度であるから、多少の時間のずれは問題にならない。
【００４４】
上述の処理を行うために、プログラム記憶部１２に書き込まれるタイムスケジュールは図５のような形式になっている。図５において横の１列が組になるタイムスケジュールであって、「Ｎｏ．」は各タイムスケジュールを区別するためのプログラム番号、「制御方式」は１日に１回の制御か、上述したような同じ制御状態を繰り返す制御かを示している。また、「制御対象」は制御対象となる負荷に対応付けたアドレスを示し、「個別６３−４」は個別制御であってチャンネルが６３で負荷番号が４のアドレスに相当する負荷を制御することを意味する。また、「Ｐ１」はパターン制御であって、「Ｐ１」という名称のパターンに属する負荷を一括制御することを意味する。「Ｇ１２７」はグループ制御であって、「Ｇ１２７」という名称のグループに属する負荷を一括制御することを意味する。このように、「個別」「Ｐ」「Ｇ」はそれぞれ個別制御、パターン制御、グループ制御を意味し、他の部分がアドレスに相当する。「入時刻」「切時刻」は負荷のオンオフに対応する時刻であり、「制御間隔」は負荷を繰り返して同じ状態に制御する場合の時間間隔である。図より明らかなように、パターン制御の場合には制御の入時刻のみが指定され、切時刻は指定されない。これはパターン制御は負荷の動作状態をあらかじめ設定した状態に制御すればよいからである。「制御日」は曜日あるいは特日で表される。特日のタイムスケジュールは本実施形態では２種類を選択可能としてある。どちらの特日を選択するかは、上述のように２つの特日アドレスを対応付けることによって選択してもよいが、一方の特日を外部接点入力で選択し、他方の特日を特日アドレスを用いて選択するようにしてもよい。いずれにせよ、タイムスケジュールは制御対象ごとに設定されることになる。
【００４５】
本実施形態のプログラムタイマ１は、図６に示すように、時間帯に応じて監視入力に対応付ける負荷を変更する機能を備えている。図示例では個別制御を行うスイッチ３１ａにアドレスとして「０−１」が設定され、このスイッチ３１ａによって「Ｇ１」と「Ｇ２」とのグループ制御が可能になっている。ただし、０：００〜８：００と１８：００〜２４：００とにおいてはスイッチ３１ａの操作時に「Ｇ１」のグループに属する負荷のグループ制御が行われ、８：００〜１８：００においてはスイッチ３１ａの操作時に「Ｇ２」のグループに属する負荷のグループ制御が行われる。なお、図６からわかるように、スイッチ３１ａの操作毎に負荷はオンとオフとを交互に繰り返す。
【００４６】
上述のような動作を可能とするために、タイマ処理部１０には時間帯別プログラム記憶部２２が設けられている。時間帯別プログラム記憶部２２には、スイッチ３１ａなどの監視入力に対応付けた１つの時間帯別操作アドレスと、制御対象となる負荷に対応付けた少なくとも１つの時間帯別制御アドレスと、時間帯別制御アドレスを用いる時間帯との組が時間帯制御データとして格納される。たとえば、図６に示した制御を行う時間帯制御データは図７のような形式になる。時間帯別操作アドレスとしては個別制御を行う監視入力のアドレスのみを用いることができ、時間帯別制御アドレスとしては、個別制御、グループ制御、パターン制御のアドレスを用いることができる。また、時間帯別制御アドレスとして設定してある時間帯は「制御時間」として設定される。
【００４７】
伝送処理部１１では、図８に示すように、信号線Ｌｓを介して伝送される伝送信号のアドレスが時間帯別操作アドレスに一致すると（Ｓ１）、タイマ処理部１０を介して時間帯別プログラム記憶部２２に照合し、時計部１０ａにより計時されている現在時刻が属している制御時間に対応した時間帯別制御アドレスがあれば（Ｓ２）、その時間帯別制御アドレスを用いて負荷を制御する（Ｓ３）。一方、時間帯別操作アドレスと時間帯別制御アドレスとのいずれか一方でも設定されていないときには、伝送信号に対する応答は行わないようにしてある。つまり、時間帯別操作アドレスと時間帯別制御アドレスとのいずれか一方が未設定であると、伝送処理部１１は伝送ユニット３０に対して端末器として機能しないのである。したがって、時間帯別制御アドレスは１日のうちの一部の時間帯についてのみ設定するだけでもよいことになり、時間帯別制御アドレスが設定されていない時間帯には監視入力による負荷制御が行われないようにすることができる。
【００４８】
図７に示す時間帯制御データを用いてスイッチ３１ａを監視入力とする場合のプログラムタイマ１の動作を図９に示す。個別制御用の「０−１」のスイッチ３１ａが操作されると（Ｓ１）、まずスイッチ３１ａがオンを指示しているかオフを指示しているかを判定する（Ｓ２）。つまり、スイッチ３１ａの押操作毎に制御のオンオフを反転させるのであって、押操作されたスイッチ３１ａに対する制御の現状態（制御の現状態はフラグによって示される）がオンであればオフにし、現状態がオフであればオンにする。オンオフにかかわらず、時計部１０ａから現在時刻を取得するとともに、「０−１」のスイッチ３１ａに対応する時間帯制御データに照合し、現在時刻が「Ｇ１」と「Ｇ２」とのどちらの時間帯に属するかを判断する（Ｓ３，Ｓ４）。ステップＳ２において制御がオンであって、ステップＳ３において時間帯が「Ｇ１」と判断されると（つまり、「Ｇ１」をオンに制御する指示であると）、まず「Ｇ２」の制御状態を判定し（Ｓ５）、「Ｇ２」の制御状態がオンであれば「Ｇ１」をオンに、「Ｇ２」をオフに切り換える（Ｓ６）。一方、「Ｇ２」の制御状態がすでにオフであれば、「Ｇ１」の制御状態を判定し（Ｓ７）、「Ｇ１」がオンならばそのままの制御状態を継続し、「Ｇ１」がオフであれば「Ｇ１」をオンにする（Ｓ８）。
【００４９】
ステップＳ３において現在時刻が「Ｇ２」に属する場合には（つまり、「Ｇ２」をオンに制御する指示であると）、まず「Ｇ１」の制御状態を判定し（Ｓ９）、「Ｇ１」の制御状態がオンであれば「Ｇ１」をオフに、「Ｇ２」をオンに切り換える（Ｓ１０）。一方、「Ｇ１」の制御状態がすでにオフであれば、「Ｇ２」の制御状態を判定し（Ｓ１１）、「Ｇ２」がオンならばそのままの制御状態を継続し、「Ｇ２」がオフであれば「Ｇ２」をオンにする（Ｓ１２）。
【００５０】
その後、ステップＳ２と同様の処理によって制御状態を確認し（Ｓ１３）、オンの指示が継続していればステップＳ３に戻って現在時刻がどの時間帯に属するかを判断する。この処理によって、オンの指示が継続している間に、現在時刻が属する時間帯に変化が生じたときには、前の時間帯の制御から次の時間帯の制御に切り換えることができる。たとえば、図６では１８：００において負荷が「Ｇ２」から「Ｇ１」に変化しており、この動作がこの処理に対応する。また、制御状態をオフに変化させるように指示されるとステップＳ４に移行して後述するオフの処理を行う。
【００５１】
ステップＳ２またはステップＳ１３において制御状態をオフにするように指示されると現在時刻が属する時間帯を判定し（Ｓ４）、時間帯が「Ｇ１」であれば「Ｇ１」の制御状態をオフにし（Ｓ１４）、時間帯が「Ｇ２」であれば「Ｇ２」の制御状態をオフにする（Ｓ１５）。
【００５２】
上述のような時間帯制御データによる制御を可能としたことによって、複数の照明負荷を一括制御するような場合であれば、昼間には監視入力によってすべての照明負荷の点灯・消灯を行い、夜間には監視入力によって８０％の照明負荷の点灯・消灯を行うというような制御が可能になる。また、上述の動作から明らかなように、時間帯別操作アドレスから時間帯制御アドレスに変換する機能を有していることになるから、個別制御用の監視入力を一括制御用に用いることも可能になる。
【００５３】
プログラムタイマ１の電源は商用電源ＡＣをトランス３４（図１０参照）で降圧した交流電源を用いるのが望ましいが、トランス３４を用いずに伝送信号Ｖｓを整流し安定化することによって内部電源を得るようにしてもよい。とくに、上述したサマータイム端子２５は一般的な仕様では設ける必要がないから、サマータイム端子２５が不要であればサマータイム端子２５に代えて電源端子を設け、電源端子にトランス３４を接続するのが望ましい。サマータイム端子２５を設ける場合には電源端子を設けずに、伝送信号Ｖｓから内部電源を得るようにすればよい。また、停電時においても時計部１０ａの機能を維持することができるようにバックアップ用の内蔵電池を設ける。
【００５４】
上述したように、特日アドレス、タイマ制御中止アドレス、同期入力用の同期アドレス、同期出力用の同期アドレス、サマータイムアドレスを設定することができるから、いま、それぞれ０−１、１−１、２−１、２−２、３−１と設定し、図２においてスイッチ３１ａを備える２台の端末器３１にはそれぞれ０−１、１−１とアドレスを設定し、設備時計３５が接続された端末器３２には２−１とアドレスを設定するものとする。この設定によって、アドレスが０−１の端末器３１のスイッチ３１ａを操作することで、特日タイムスケジュールを用いるか否かを選択することが可能になり、アドレスが１−１の端末器３１のスイッチ３１ａを操作することで、負荷制御にタイムスケジュールを用いるか否かを選択することが可能になる。さらに、設備時計３５が所定時刻になると同期アドレスを用いて時計部１０ａを自動的に時刻合わせすることも可能になる。
【００５５】
本実施形態のプログラムタイマ１は、図１１に示すように、いわゆる分電盤協約寸法（電灯分電盤用協約形配線用遮断器（ＪＩＳ  Ｃ８３７１参照）の寸法）の単位寸法である１極用の器体の整数倍の寸法を有した器体４０に収納される。器体４０の前面（図１１（ｂ）の上面）中央部にはスイッチ群１３および表示部１４が配置される突台４１が形成され、両側部には端子台４２が設けられる。図１１に示す構成例は、サマータイム端子２５を設ける代わりに電源端子２３を設けたものであり、器体４０の一方の側縁には電源端子２３、信号線Ｌｓに接続される信号端子２４、同期出力端子１９が配列され、器体４１の他方の側縁には特日指定端子１６、タイマ制御中止端子１７、同期入力端子１８が配列されている。図示する器体４０では６組のねじ付き端子を設けることが可能である。サマータイム端子２５を省略するとともに同期出力端子１９も省略することが可能であり、この場合には電源端子２３を設けても５組の端子でよいから、図１０のように、１組分は端子を設けずに電源端子２３と信号端子２４との間に１組分の空きを設けて絶縁距離を大きくするのが望ましい。上述したように、端子構成は必要に応じて適宜選択される。
【００５６】
器体４０の後面（図１１（ｂ）の下面）には取付溝４３が形成されている。取付溝４３の一方の側壁には引掛爪４３ａが形成され、他方の側壁には引掛爪４３ａに対向して左右方向に進退可能な係止爪４３ｂが設けられている。取付溝４３には分電盤内に配置される取付レール（いわゆるＤＩＮレール）が挿入され、器体４０を取付レールに固定できるようにしてある。つまり、この種の取付レールは、断面コ字状に形成された部材の両側片の先端縁から外向きに鍔片が一体に突設されたいわゆるトップハット形であって、各鍔片をそれぞれ取付溝４３の底面と引掛爪４３ａあるいは係止爪４３ｂとの間に挟持するのである。この種の取付レールへの結合形態は分電盤においては周知である。係止爪４３ｂは進退可能であるから、取付溝４３から後退させることによって器体４０を取付レールから外すことができる。
【００５７】
上述した器体４０は分電盤のような盤内に配置することを想定したものであるが、壁面等にプログラムタイマ１を配置する場合には、図１２ないし図１４に示すように、大角連用形（ＪＩＳ  Ｃ８３０４参照）と称する埋込型の配線器具の施工時に用いる取付枠に取着可能な器体５０を用いる。この器体５０は前面中央部に突台５１を有し、両側面に取付爪５２が突設されているものであって、器体５０の背面にはねじ付きの端子を配列した端子台５３が設けられている。端子台５３は分電盤協約寸法の器体４０と同様に６組の端子を備え、図ではサマータイム端子２５を設けた構成例を示している。したがって、電源端子２３は設けていない。
【００５８】
図１２ないし図１４に示す器体５０は２連形と称する寸法を有するものであり、大角連用形の埋込型配線器具における１個モジュール寸法の配線器具を１列３個並べたものを２列並設した寸法を有している。この形状の器体５０を取り付ける取付枠６０は合成樹脂成型品であって、取付爪５２に係合する保持孔６１を備える。また、取付枠６０には壁面に埋込配置された埋込ボックスに螺合するボックスねじを用いて取り付けたり、挟み金具と称する部材を用いて壁パネルに取り付けたりするために取着片６２を備える。挟み金具は取着片６２に枢支されるように一端部を引掛係止し、取着片６２を通して挟み金具に螺合する引締ねじとの螺合量を変化させることによって他端部と取付枠６０との距離を変えるものである。したがって、壁パネルに取付孔を形成しておき、挟み金具を取付孔内に挿入するとともに取付枠６０を壁パネルの表面側で取付孔の周囲に当接させ、この状態で引締ねじを締め付けると、取付枠６０と挟み金具との間で取付孔の周部を挟持されて取付枠が壁パネルに固定されるのである。取付枠６０の前面側には化粧プレート６３が取着され、化粧プレート６３の中央部に設けた露出窓６４を通して突台部５３が露出する。ここに、化粧プレート６３の裏面には取付枠６０に係合する係合脚（図示せず）が突設されている。
【００５９】
図１２ないし図１４に示す器体５０を備えたプログラムタイマ１も上述したプログラムタイマ１と同様に用いられる。つまり、図１５に示すように、必要に応じてスイッチＳＷ１〜ＳＷ３（ＳＷ４）が接続される。また、図１６に示すように、信号線Ｌｓを介して伝送ユニット３０に接続される。
【００６０】
信号線Ｌｓに接続する以外に他の入出力を受けない場合には、図１７および図１８に示すように、信号線Ｌｓに接続するための信号端子２４のみを器体５０の後面に設けた構成を採用してもよい。
【００６１】
ところで、本実施形態のプログラムタイマ１は日出時刻と日入時刻とをタイムスケジュールの時刻として用いることができる機能を有している。この機能はソーラ機能と呼ばれ、各地域ごとの各日毎の日出時刻および日入時刻（実際には日出時刻および日入時刻に近い時刻であって明暗が変化する時刻に補正することが多い）を演算するためのデータとを必要とする。したがって、ソーラ機能を用いる場合には、使用する地区（日本国内を日出時刻および日入時刻の異なる区域ごとに分割した地区）を選択し、また必要に応じて日出時刻および日入時刻に対する時間の補正が可能になっている。
【００６２】
しかして、タイムスケジュールは以下の手順で設定される。つまり、図１９に示すように、設定モード（Ｓ１）において、プログラム番号を選択し（Ｓ２）、タイムスケジュールを設定しようとするプログラム番号にすでにタイムスケジュールが設定されているときには内容を削除する（Ｓ３）。次に、制御対象となる負荷が個別制御（個別）、パターン制御（Ｐ）、グループ制御（Ｇ）のいずれであるかを選択し（Ｓ４）、各別に時刻の設定を行う（Ｓ５〜Ｓ７）。その後、設定した時刻での負荷制御を行う曜日を設定すれば（Ｓ８）、基本タイムスケジュールについての設定が完了する（Ｓ９）。ステップＳ５〜Ｓ７における時刻の設定の方法（つまり、動作方式）には、制御対象の入切の時刻を１回ずつ設定する通常設定（通常）と、第１の実施の形態で説明した繰り返しの設定を行う繰返設定（繰返）と、日出時刻および日入時刻を用いるソーラ設定（ソーラ）とを選択することができる。
【００６３】
個別制御およびグループ制御は設定手順がほぼ同じであって、通常設定ではオン時刻（制御・入時刻）とオフ時刻（制御・切時刻）とをそれぞれ設定する。また、繰返設定では同じ動作を繰り返す制御を開始する時刻と終了する時刻、つまりオン時刻（制御・入時刻）とオフ時刻（制御・切時刻）を設定するとともに、その期間内での１回のオンオフを設定するために、１周期のオン時間およびオフ時間を設定する。ソーラ設定では、日入時刻をオン時刻とし日出時刻をオフ時刻とする設定、日入時刻をオン時刻とし定時刻をオフ時刻とする設定、定時刻をオン時刻とし日出時刻をオフ時刻とする設定が可能になっている。
【００６４】
しかして、個別制御の場合には、図２０に示すように、アドレス（チャンネルおよび負荷番号）を設定した後（Ｓ１，Ｓ２）、動作方式を選択する（Ｓ３）。通常設定を選択したときには、上述のように、制御・入時刻と制御・切時刻とをそれぞれ設定する（Ｓ４，Ｓ５）。また、繰返設定を選択したときには制御・入時刻）と制御・切時刻とを設定するとともに（Ｓ６，Ｓ７）、１周期のオン時間およびオフ時間を設定する（Ｓ８，Ｓ９）。ソーラ設定を選択したときには、さらに制御方式を選択し（Ｓ１０）、日入時刻をオン時刻とし日出時刻をオフ時刻とする設定（Ｓ１１，Ｓ１２）、日入時刻をオン時刻とし定時刻をオフ時刻とする設定（Ｓ１３，Ｓ１４）、定時刻をオン時刻とし日出時刻をオフ時刻とする設定（Ｓ１５，Ｓ１６）のいずれかを行う。
【００６５】
グループ制御の場合もほぼ同様であり、図２１に示すように、グループ番号を設定した後（Ｓ１）、動作方式を選択する（Ｓ２）。通常設定を選択したときには、上述のように、制御・入時刻と制御・切時刻とをそれぞれ設定する（Ｓ３，Ｓ４）。また、繰返設定を選択したときには制御・入時刻と制御・切時刻とを設定するとともに（Ｓ５，Ｓ６）、１周期のオン時間およびオフ時間を設定する（Ｓ７，Ｓ８）。ソーラ設定を選択したときには、さらに制御方式を選択し（Ｓ９）、日入時刻をオン時刻とし日出時刻をオフ時刻とする設定（Ｓ１０，Ｓ１１）、日入時刻をオン時刻とし定時刻をオフ時刻とする設定（Ｓ１２，Ｓ１３）、定時刻をオン時刻とし日出時刻をオフ時刻とする設定（Ｓ１４，Ｓ１５）のいずれかを行う。
【００６６】
パターン制御の場合には、制御の入時刻は設定するが切時刻は設定しないから、図２２に示すように、グループ番号を設定して（Ｓ１）、動作方式を選択し（Ｓ２）、ここで通常設定を選択したときには、制御・入時刻のみ設定する（Ｓ３）。また、繰返設定を選択したときには制御・入時刻と制御・切時刻とを設定するとともに（Ｓ４，Ｓ５）、制御の時間間隔を設定する（Ｓ６）。ソーラ設定を選択したときには、さらに日入時刻と日出時刻とのどちらを用いるかを選択し（Ｓ７）、それぞれ選択した時刻を設定する（Ｓ８，Ｓ９）。
【００６７】
上述のようにしてタイムスケジュールを設定した一例が図５に示すタイムスケジュールである。
【００６８】
ところで、特日タイムスケジュールを用いるか否かはスイッチＳＷ１や特日アドレスによって切り換えるだけではなく、１年間のスケジュールに特日を組み込むことも可能である。この場合には、図２３に示すように、基本タイムスケジュール（年間スケジュール）を設定した後（Ｓ１）、スイッチ群１３によって特日のタイムスケジュールを設定する状態を選択すると（Ｓ２）、現在時刻（年月日）が表示部１４に表示される（Ｓ３）。この状態では月内の日を指定することができるようになるから、ステップＳ２で選択した特日タイムスケジュールを用いる日を指定する（Ｓ４）。さらに、別の月で特日タイムスケジュールを用いる日を指定したいときには（Ｓ５）、スイッチ群１３において選択を指示して翌月のカレンダを表示し（Ｓ６）、特日タイムスケジュールを用いる日を選択させる（Ｓ４）。こうして、所望の日に特日タイムスケジュールを割り当てた後にスイッチ群１３において設定を指示すれば設定は終了となる（Ｓ７）。
【００６９】
なお、本実施形態のプログラムタイマ１では特別設定として図２４に示す設定操作も可能になっている。すなわち、特別設定では伝送信号に関する設定（Ｓ１）、負荷（照明負荷を想定している）の自動消灯に関する設定（Ｓ２）、特日タイムスケジュールを用いる曜日の予約（Ｓ３）が可能になっている。伝送信号に関する設定では、タイマ制御中止アドレス、特日アドレス、同期入力用の同期アドレス、同期出力用の同期アドレスをそれぞれ設定することができる。サマータイムアドレスを用いる場合にはサマータイムアドレスの設定も可能になる。そこで、どのアドレスを設定するかを選択し（Ｓ４〜Ｓ７）、アドレスをチャンネルと負荷番号とで指定した後（Ｓ８，Ｓ９）、所望のアドレスが設定されると設定を確定する（Ｓ１０）。自動消灯については要旨ではないからとくに説明はしないが、自動消灯モードの選択が可能になっている（Ｓ１１）。さらに、特日タイムスケジュールを用いる曜日を予約する場合は、特日タイムスケジュールと曜日とを選択し（Ｓ１２〜Ｓ１４）、設定を確定する（Ｓ１５）。以上のようにして特別設定が完了すれば（Ｓ１６）、特別設定の初期状態に戻るから、特別設定を解除すれば通常の動作に移行する。
【００７０】
上述した各実施形態では、通常時に伝送ユニット３０がダミーモードの伝送信号を伝送し、監視入力を受けた端末器３１，３２が伝送信号に同期させて割込信号を発生させたときに、その端末器３１，３２を探し出して伝送ユニット３０が監視入力を受け取る形式の遠隔監視制御システムを例示したが、伝送ユニット３０が各アドレスを巡回的に変化させた伝送信号を送出する動作を採用してもよい。つまり、伝送ユニット３０は各端末器３１，３２を規定順でアクセスし、監視入力を受けた端末器３１，３２は伝送ユニット３０からアクセスされたときに監視入力を返送するように動作するのである。
【００７１】
【発明の効果】
請求項１の発明は、それぞれアドレスを備え監視入力としてのオンオフ信号を受ける第１の端末器と負荷を制御する第２の端末器とが信号線に接続され、信号線に接続された伝送ユニットと前記各端末器との間で時分割多重伝送方式により伝送信号を授受し、第１の端末器のアドレスと第２の端末器のアドレスとの対応関係を用いて第１の端末器の受ける監視入力としてのオンオフ信号に応じて第２の端末器に接続した負荷を制御する遠隔監視制御システムに用いられ、制御対象となる負荷を制御する第２の端末器に対応付けた第１の端末器のアドレスと当該負荷の制御内容と制御時刻との組をタイムスケジュールとして格納するプログラム記憶部と、制御内容と制御時刻とをアドレス別に設定してプログラム記憶部にタイムスケジュールを設定する設定操作部と、現在時刻を計時する時計部と、プログラム記憶部に格納された各組のタイムスケジュールにおける制御時刻が時計部により計時されている現在時刻に一致すると当該タイムスケジュールにおけるアドレスをアドレスとし当該タイムスケジュールの制御内容を監視入力としてのオンオフ信号とする第１の端末器として機能する信号処理部とを備えるものであり、伝送ユニットに接続されている信号線に接続可能な信号処理部を備えていることによって信号線に直接接続することができ、制御対象となる負荷数にかかわらず信号線に接続するための１組の端子（実施形態では２線式であるから２個１組の端子でよい）を設けるだけで複数の負荷を制御することができるとともに、従来は必要であった別途の端末器が不要になり、結果的に施工作業が容易になるとともに、負荷制御の自由度が高くなる。
【００７２】
請求項２の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、基本タイムスケジュールと特日タイムスケジュールとのどちらを用いるかを指示する無電圧の外部接点入力を接続可能な特日指定端子を備えるものであり、特日指定端子に適宜の外部接点入力を接続することでプログラムタイマとは別の場所から特日タイムスケジュールの使用を指示することができる。
【００７３】
請求項３の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、基本タイムスケジュールと特日タイムスケジュールとのどちらを用いるかを指示するスケジュールモードフラグを有し、信号線を介して伝送される伝送信号のアドレスがスケジュールモードフラグに対応付けたアドレスに一致すると伝送信号の制御内容に応じてスケジュールモードフラグを切り換えるものであり、信号線に接続した第１の端末器と対応付けておくことにより、プログラムタイマの設置場所とは別の場所から特日タイムスケジュールの使用を指示することができる。
【００７４】
請求項４の発明は、請求項１の発明において、前記プログラム記憶部には複数日分のタイムスケジュールが日単位で格納され、タイムスケジュールとして、繰り返し利用される基本タイムスケジュールと、基本タイムスケジュール以外の特日タイムスケジュールとが設定可能であって、前記信号処理部では、基本タイムスケジュールと特日タイムスケジュールとのどちらを用いるかを指示するスケジュールモードフラグを有し、前記時計部で計時する現在時刻が特定時刻になる前にスケジュールモードフラグが特日タイムスケジュールを指示する設定であると、前記特定時刻において前記スケジュールモードフラグを基本タイムスケジュールを指示する設定に自動的に切り換えるものであり、１日だけ特日タイムスケジュールを使用した翌日には基本タイムスケジュールに自動的に復帰させることができ、一時的に使用される特日タイムスケジュールを解除する操作を忘れても翌日には基本タイムスケジュールに復帰させることができて、利便性が高くなる。
【００７５】
請求項５の発明は、請求項１の発明において、前記タイムスケジュールによる負荷制御と前記タイムスケジュールによる負荷制御の中止との選択を指示する無電圧の外部接点入力を接続可能なタイマ制御中止端子を備えるものであり、タイムスケジュールによる制御を行うか否かをプログラムタイマの設置場所とは別の場所から指示することが可能になる。
【００７６】
請求項６の発明は、請求項１の発明において、前記信号処理部では、前記タイムスケジュールによる負荷制御と前記タイムスケジュールによる負荷制御の中止との選択を指示する制御モードフラグを有し、信号線を介して伝送される伝送信号のアドレスが制御モードフラグに対応付けたアドレスに一致すると伝送信号の制御内容に応じて制御モードフラグを切り換えるものであり、信号線に接続した第１の端末器と対応付けておくことにより、プログラムタイマの設置場所とは別の場所からタイムスケジュールの使用の要否を指示することができる。
【００７７】
請求項７の発明は、請求項１の発明において、前記信号処理部では、前記タイムスケジュールによる負荷制御と前記タイムスケジュールによる負荷制御の中止との選択を指示する制御モードフラグを有し、前記時計部で計時する現在時刻が特定時刻になる前に制御モードフラグがタイムスケジュールによる負荷制御の中止を指示する設定であると、前記特定時刻において前記制御モードフラグをタイムスケジュールによる負荷制御を指示する設定に自動的に切り換えるものであり、タイムスケジュールによる負荷制御を一時的に中止しても翌日にはタイムスケジュールを用いて負荷を制御する状態に自動的に復帰させることができ、タイムスケジュールによる負荷制御を一時的に中止した後に解除する操作を忘れても翌日にはタイムスケジュールを使用する状態に自動的に復帰させることができて、利便性が高くなる。
【００７８】
請求項８の発明は、請求項１の発明において、前記信号処理部では、信号線を介して伝送される伝送信号のアドレスが同期アドレスとして設定したアドレスに一致すると前記時計部に対して現在時刻を規定時刻に合わせるように指示するものであり、信号線を伝送される伝送信号を用いて時計部の時刻合わせを行うことができ、別に設けた時計に同期させて時刻合わせを行うことが可能になる。したがて、複数台のプログラムタイマが信号線上に存在しているときには、各プログラムタイマの時計部の時刻をほぼ一致させて負荷制御のタイミングをほぼ合わせることが可能になる。
【００７９】
請求項９の発明は、請求項１の発明において、監視入力としてのオンオフ信号を受ける前記第１の端末器に対応付けた１つの時間帯別操作アドレスと、制御対象となる負荷を制御する前記第２の端末器に対応付けた少なくとも１つの時間帯別制御アドレスと、時間帯別制御アドレスを用いる時間帯との組を時間帯制御データとして格納する時間帯別プログラム記憶部を有し、前記信号処理部は、信号線を介して伝送される伝送信号のアドレスが時間帯別操作アドレスに一致すると、時計部により計時されている現在時刻が属している時間帯において当該時間帯別操作アドレスと組になる時間帯別制御アドレスをアドレスとし前記監視入力としてのオンオフ信号により指示された制御内容を監視入力としてのオンオフ信号とする第１の端末器として機能し、時間帯別操作アドレスと時間帯別制御アドレスとのいずれか一方が未設定であると第１の端末器として機能しないものであり、時間帯に応じて制御対象となる負荷を変更することが可能になる。たとえば、複数の照明負荷を負荷とする場合に、昼間にはすべての照明負荷を制御対象とし、夜間には８０％の照明負荷を制御対象とするというような制御が可能になる。
【００８０】
請求項１０の発明は、請求項１の発明において、前記設定操作部は、負荷を繰り返して同じ制御状態にする回数と時間間隔とをタイムスケジュールとして設定する機能を有するものであり、比較的少ないデータのタイムスケジュールを設定するだけで、負荷を同じ状態に繰り返して制御することができる。たとえば、照明負荷を制御対象とするときに、一定時間ごとにオフになるようにタイムスケジュールを設定しておけば、入時刻になって照明負荷が消灯した後に、使用者が照明負荷を点灯させたとしても、最初の消灯から設定された時間間隔の後に再び消灯するという動作を繰り返すことになり、使用者の退室を促すとともに、照明負荷の消し忘れを防止することができる。
【００８１】
請求項１１の発明は、請求項１の発明において、前記時計部により計時される現在時刻を一定時間だけ早める状態と元に戻す状態との選択を指示する無電圧の外部接点入力を接続可能なサマータイム端子を備えるものであり、プログラムタイマの設置場所とは異なる場所からサマータイムへの移行を指示することが可能になる。
【００８２】
請求項１２の発明は、請求項１の発明において、前記時計部により計時される現在時刻を一定時間だけ早める状態と元に戻す状態との選択を指示するサマータイムフラグを有し、前記信号処理部では信号線を介して伝送される伝送信号のアドレスがサマータイムフラグに対応付けたサマータイムアドレスに一致すると伝送信号の制御内容に応じてサマータイムフラグを切り換えるものであり、信号線に接続した第１の端末器と対応付けておくことにより、プログラムタイマの設置場所とは別の場所からサマータイムへの移行を指示することが可能になる。
【図面の簡単な説明】
【図１】本発明の実施の形態を示すブロック図である。
【図２】同上の使用形態を示す図である。
【図３】同上の動作説明図である。
【図４】同上の使用形態を示す図である。
【図５】同上におけるタイムスケジュールの設定例を示す図である。
【図６】同上の動作説明図である。
【図７】同上におけるアドレスの設定例を示す図である。
【図８】同上の動作説明図である。
【図９】同上の動作説明図である。
【図１０】同上の使用形態を示す図である。
【図１１】同上の外観を示し、（ａ）は正面図、（ｂ）は下面図、（ｃ）は側面図である。
【図１２】同上の他の構成例の外観を示し、（ａ）は正面側の斜視図、（ｂ）は背面側の斜視図である。
【図１３】図１２に示した構成例の外観を示し、（ａ）は正面図、（ｂ）は側面図である。
【図１４】図１２に示した構成例の背面図である。
【図１５】図１２に示した構成例の使用形態を示す図である。
【図１６】図１２に示した構成例の使用形態を示す図である。
【図１７】同上のさらに他の構成例を示す斜視図である。
【図１８】図１７に示した構成例の背面図である。
【図１９】同上の動作説明図である。
【図２０】同上の動作説明図である。
【図２１】同上の動作説明図である。
【図２２】同上の動作説明図である。
【図２３】同上の動作説明図である。
【図２４】同上の動作説明図である。
【図２５】従来例の使用形態を示す図である。
【符号の説明】
１０  タイマ処理部
１０ａ  時計部
１１  伝送処理部
１２  プログラム記憶部
１３  スイッチ群
１４  表示部
１６  特日指定端子
１７  タイマ制御中止端子
２２  時間帯別プログラム記憶部
２５  サマータイム端子
３０  伝送ユニット
３１〜３３  端末器
Ｌｓ  信号線
【図１】
0003934839.tif 000002
【図２】
0003934839.tif 000003
【図３】
0003934839.tif 000004
【図４】
0003934839.tif 000005
【図５】
0003934839.tif 000006
【図６】
0003934839.tif 000007
【図７】
0003934839.tif 000008
【図８】
0003934839.tif 000009
【図９】
0003934839.tif 000010
【図１０】
0003934839.tif 000011
【図１１】
0003934839.tif 000012
【図１２】
0003934839.tif 000013
【図１３】
0003934839.tif 000014
【図１４】
0003934839.tif 000015
【図１５】
0003934839.tif 000016
【図１６】
0003934839.tif 000017
【図１７】
0003934839.tif 000018
【図１８】
0003934839.tif 000019
【図１９】
0003934839.tif 000020
【図２０】
0003934839.tif 000021
【図２１】
0003934839.tif 000022
【図２２】
0003934839.tif 000023
【図２３】
0003934839.tif 000024
【図２４】
0003934839.tif 000025
【図２５】
0003934839.tif 000026